(57)【要約】      （修正有）【課題】梯子の利用者の足への疲労感を抑えることが可能であって、梯子に着脱自在な足場具を提供する。【解決手段】足場具２０は、梯子の足場となり得る主踏み桟１３や補助踏み桟１６に、着脱自在に取り付けられる。足場具２０は、ステッププレート２１と、ステッププレート２１に設けられ主踏み桟１３に係合可能な主踏み桟係合機構と、ステッププレート２１に設けられ補助踏み桟１６に係合可能な補助踏み桟係合機構と、を有する。ステッププレート２１は、足場となるステップ面２１Ａと、ステップ面２１Ａと反対側の支持面２１Ｂとを有する。ステッププレート２１は、支持面２１Ｂが上方に向くようにして、主踏み桟１３から補助踏み桟１６まで架け渡される。【選択図】図４
0003175235.tif 000002
【実用新案登録請求の範囲】
【請求項１】
梯子の踏み桟にて着脱自在に設置される足場具であって、
前記踏み桟は、主踏み桟と、前記主踏み桟に対して同じ高さ位置において間隔を空けて配置される補助踏み桟とを備え、
前記足場具は、
前記主踏み桟から前記補助踏み桟まで架け渡され、足場となるステップ面を構成するステッププレートと、
前記ステッププレートに設けられ前記梯子に係合する係合機構と、
を備える事を特徴とする足場具。
【請求項２】
前記ステッププレートは、前記ステップ面から突出する突起を有することを特徴とする請求項１記載の足場具。
【請求項３】
前記突起がバーリング加工によって形成されたことを特徴とする請求項２記載の足場具。
【請求項４】
前記係合機構は、前記ステッププレートの端縁近傍から下方側に突出して前記主踏み桟又は前記補助踏み桟の側面と係合する側面係合部を有することを特徴とする請求項１ないし３のうちいずれか１項記載の足場具。
【請求項５】
前記主踏み桟又は前記補助踏み桟の長手方向にて、前記側面係合部の中途部分に干渉回避空間が形成されていることを特徴とする請求項４記載の足場具。
【請求項６】
前記側面係合部は、前記長手方向において、前記ステッププレートの両外側に設けられていることを特徴とする請求項４または５記載の足場具。
【請求項７】
前記側面係合部は、前記主踏み桟の側面と係合する主踏み桟側面係合部、又は前記補助踏み桟の側面と係合する補助踏み桟側面係合部を有することを特徴とする請求項５記載の足場具。
【請求項８】
前記係合機構は、前記側面係合部の下端側から前記ステッププレートの中央部に向かう方向に突出して前記主踏み桟又は前記補助踏み桟の底面と係合する底面係合部を有することを特徴とする請求項１ないし７のうちいずれか１項記載の足場具。
【請求項９】
前記主踏み桟側面係合部と前記補助踏み桟側面係合部とのうちいずれか一方にのみ前記底面係合部が形成されることを特徴とする請求項８記載の足場具。
【請求項１０】
前記側面係合部と前記ステッププレートとがなす角の角度は鈍角であること
を特徴とする請求項１ないし９のうちいずれか１項記載の足場具。
【請求項１１】
前記係合機構は、前記ステッププレートに形成される貫通孔と、前記貫通孔に挿入されて前記梯子と前記ステッププレートとを締結する締結帯と、を有することを特徴とする請求項１ないし１０のうちいずれか１項記載の足場具。
【考案の詳細な説明】
【技術分野】
【０００１】
本考案は、足場具、特に梯子に着脱可能な足場具に関する。
【背景技術】
【０００２】
梯子は、高いところへ上るために用いられるものであり、対となる脚と、脚の間に設けられた踏み桟とを有する。梯子の脚の数は、２本のものに限られず、３本や、４本のものもある。例えば、特許文献１、２には、対となる２本の脚に加え、補強用の脚とを有する梯子が記載されている。特許文献１、２の梯子は、三脚式梯子や、三脚脚立や、単に三脚として知られている。
【０００３】
また、１つの段を構成する踏み桟の数も、１つに限られず、特許文献１，２に記載されたもののように、複数のものもある。１つの段を構成する踏み桟の数は、単数よりも複数のほうが、利用者の足の支える部分が増える結果、利用者の姿勢が安定するといったメリットがある。
【先行技術文献】
【特許文献】
【０００４】
【特許文献１】特開平９−１１２１６５号公報
【特許文献２】特開２００８−２６７０４８号公報
【考案の概要】
【考案が解決しようとする課題】
【０００５】
しかしながら、特許文献１，２のように、１つの段を構成する踏み桟の数が複数の梯子には、１つの段を構成する踏み桟同士が離れているものも多い。このような梯子を用いた場合、利用者の足のうち踏み桟に直接あたる部分に、力が集中する結果、利用者は足に疲労感を感じやすい。
【０００６】
本考案は上記問題点に鑑みてなされたものであり、梯子に着脱可能な足場具、特に梯子に着脱可能な足場具を提供することを目的とする。
【課題を解決するための手段】
【０００７】
上記目的を達成する手段は、梯子の踏み桟にて着脱自在に設置される足場具であって、前記踏み桟は、主踏み桟と、前記主踏み桟に対して同じ高さ位置において間隔を空けて配置される補助踏み桟とを備え、前記足場具は、前記主踏み桟から前記補助踏み桟まで架け渡され、足場となるステップ面を構成するステッププレートと、前記ステッププレートに設けられ前記梯子に係合する係合機構と、を備える事を特徴とする。
【０００８】
前記ステッププレートは、前記ステップ面から突出する突起を有することが好ましい。また、前記突起がバーリング加工によって形成されたことが好ましい。
【０００９】
前記係合機構は、前記ステッププレートの端縁近傍から下方側に突出して前記主踏み桟又は前記補助踏み桟の側面と係合する側面係合部を有することが好ましい。また、前記主踏み桟又は前記補助踏み桟の長手方向にて、前記側面係合部の中途部分に干渉回避空間が形成されていることが好ましい。
【００１０】
前記側面係合部は、前記長手方向において、前記ステッププレートの両外側に設けられていることが好ましい。また、前記側面係合部は、前記主踏み桟の側面と係合する主踏み桟側面係合部、又は前記補助踏み桟の側面と係合する補助踏み桟側面係合部を有することが好ましい。
【００１１】
前記係合機構は、前記側面係合部の下端側から前記ステッププレートの中央部に向かう方向に突出して前記主踏み桟又は前記補助踏み桟の底面と係合する底面係合部を有することが好ましい。また、前記主踏み桟側面係合部と前記補助踏み桟側面係合部とのうちいずれか一方にのみ前記底面係合部が形成されることが好ましい。
【００１２】
前記側面係合部と前記ステッププレートとがなす角の角度は鈍角であることが好ましい。前記係合機構は、前記ステッププレートに形成される貫通孔と、前記貫通孔に挿入されて前記梯子と前記ステッププレートとを締結する締結帯と、を有することが好ましい。
【考案の効果】
【００１３】
本考案の足場具によれば、本考案の足場具を装着した梯子の利用者の足に疲労感を抑える。
【図面の簡単な説明】
【００１４】
【図１】足場具が装着された梯子の正面図である。
【図２】梯子の側面図である。
【図３】梯子に装着された足場具の概要を示す斜視図である。
【図４】梯子から外された足場具の概要を示す斜視図である。
【図５】足場具の概要を示す斜視図である。
【図６】足場具の概要を示す斜視図である。
【考案を実施するための形態】
【００１５】
図１〜２に示すように、梯子１０は、一対の脚１１と、一対の脚１１の一端に設けられた天板１２と、一対の脚１１の間にて水平方向となるように渡され、他端側から天板１２に向かって離隔して並べられた踏み桟１３と、一端が図示しない回動機構によって天板１２と連結する支持脚１４と、一端が天板１２に連結し他端が脚１１の他端に連結される補強脚１５と、他端側から天板１２に向かって離隔して並べられ、脚１１及び補強脚１５を連結する補強枠１６とを有する。
【００１６】
梯子１０では、脚１１及び支持脚１４の開閉が自在となっている。そして、脚１１及び支持脚１４を開いた状態で、脚１１及び支持脚１４の他端が下向きになるように梯子１０を立てると、利用者は、ほぼ水平となる踏み桟１３を足場にして、昇降動作を行うことができる。また、梯子１０には天板１２が設けられるため、利用者は、天板１２に荷物等を載置することができる。
【００１７】
また、図３〜４に示すように、踏み桟１３とほぼ平行な補強枠１６は、一方の脚１１から一方の補強脚１５、他方の補強脚１５を経由して、他方の脚１１まで延びる。補強枠１６が踏み桟１３とほぼ同じ高さに設けられている場合、すなわち、補強枠１６の形成位置が踏み桟１３の形成位置に対応している場合、踏み桟１３とともに、補強枠１６も、足場として機能する。この場合には、踏み桟１３が主踏み桟として機能し、補強枠１６が補助踏み桟として機能する。以降、踏み桟１３を主踏み桟１３と称し、補強枠１６を補助踏み桟１６と称する。
【００１８】
梯子１０の材料は、例えば、金属があり、中でも、アルミなどの軽量金属であることが好ましい。
【００１９】
足場具２０は、梯子１０に着脱自在に取り付けられるものであり、梯子１０の足場となる主踏み桟１３や補助踏み桟１６に装着される。足場具２０が装着される部分は、複数設けられた主踏み桟１３や補助踏み桟１６のいずれであってもよい。
【００２０】
足場具２０は、上面（以下、ステップ面と称する）２１Ａ及び下面（以下、支持面と称する）２１Ｂを有するステッププレート２１と、ステッププレート２１に設けられ主踏み桟１３に係合可能な主踏み桟係合機構と、ステッププレート２１に設けられ補助踏み桟１６に係合可能な補助踏み桟係合機構と、を有する。  
【００２１】
ステッププレート２１は、支持面２１Ｂが上方に向くようにして、主踏み桟１３から補助踏み桟１６まで架け渡される。
【００２２】
主踏み桟係合機構は、主踏み桟１３の前側面と係合する主踏み桟側面係合板２２を有する。主踏み桟側面係合板２２は、ステッププレート２１の前端にて支持面２１Ｂから下方へ突出するように設けられる。主踏み桟側面係合板２２は、先端が基端よりも前方となるように、すなわち、支持面２１Ｂに対し斜めに延びる。このため、主踏み桟側面係合板２２とステッププレート２１とがなす角の角度Ｌは鈍角となる。これにより、足場具２０の梯子１０への装着が容易になる。なお、主踏み桟側面係合板２２は、支持面２１Ｂに対し垂直に伸びてもよい。
【００２３】
補助踏み桟係合機構は、補助踏み桟１６の後側面と係合する補助踏み桟側面係合板２３と、補助踏み桟１６の底面と係合する補助踏み桟底面係合板２４と、を有する。補助踏み桟側面係合板２３は、ステッププレート２１の後端部にて支持面２１Ｂから下方へ突出するように設けられる。補助踏み桟底面係合板２４は、補助踏み桟側面係合板２３の下端からステッププレート２１の中央部側、すなわち前方へ延びるように設けられる。
【００２４】
ステッププレート２１、補助踏み桟側面係合板２３、及び補助踏み桟底面係合板２４により、補助踏み桟１６が挿入可能な程度のＪ字状構造が形成される。そして、Ｊ字状構造の空間３０に補助踏み桟１６が挿入されるように足場具２０を補助踏み桟１６に取り付けると、ステッププレート２１、補助踏み桟側面係合板２３、及び補助踏み桟底面係合板２４が補助踏み桟１６と係合し、主踏み桟側面係合板２２が主踏み桟１３と係合する結果、足場具２０は、前後方向において梯子１０に係止される。
【００２５】
また、ステッププレート２１は、ステップ面２１Ａから突出する突起２１Ｔを有する。この突起２１Ｔは、バーリング加工によって形成される。そして、ステッププレート２１は、ステップ面２１Ａから支持面２１Ｂまで延びる貫通孔２１Ｘを有する。ここで、突起２１Ｔの形状は、円形であってもよいし、楕円形、多角形、直線、曲線などいずれであってもよい。また、ステップ面２１Ａにおける突起２１Ｔの数は、１つでも複数でもよいが、複数であるほうがより好ましい。なお、ステップ面２１Ａにおける突起２１Ｔの配置パターンは、いずれでもよい。また、主踏み桟側面係合板２２や補助踏み桟側面係合板２３に貫通孔を設けてもよい。
【００２６】
ステッププレート２１、主踏み桟側面係合板２２、補助踏み桟側面係合板２３、及び補助踏み桟底面係合板２４のそれぞれの材料は、例えば、金属であり、中でも、アルミなどの軽量金属であることが好ましい。また、ステッププレート２１、主踏み桟側面係合板２２、補助踏み桟側面係合板２３、及び補助踏み桟底面係合板２４のそれぞれの板厚は、例えば、１．５ｍｍ以上３ｍｍ以下である。
【００２７】
足場具２０は、一段を構成する主踏み桟１３及び補助踏み桟１６自体の面積に比べ、十分に広いステップ面２１Ａを有するため、利用者の足にかかる力が分散される。この結果、利用者の疲労感を和らげることが可能となる。
【００２８】
また、ステッププレート２１は、突起２１Ｔを有するため、靴のグリップ力が失われにくい。例えば、靴の裏に泥や雪がついた状態で、利用者がステップ面２１Ａを踏みこんだ場合であっても、突起２１Ｔの存在により、靴のグリップ力が失われにくい。この結果、利用者は安定して昇降動作を行うことができる。
【００２９】
さらに、利用者の靴の裏に付着していた泥や雪等によって、足場具２０が汚れてしまっても、足場具２０は、梯子１０から容易に着脱自在であるため、足場具２０の洗浄が容易である。この結果、足場具２０を用いることによって、足場のよい状態の梯子を利用者へ提供することが容易になる。
【００３０】
なお、主踏み桟１３や補助踏み桟１６に対する摩擦係数がステッププレート２１、補助踏み桟側面係合板２３、及び補助踏み桟底面係合板２４自身よりも大きな摩擦係数の材料からなるすべり止め部材を、ステッププレート２１の支持面２１Ｂ、補助踏み桟側面係合板２３の前面、補助踏み桟底面係合板２４の上面に設けてもよい。すべり止め部材の形状としては、特に限定されないが、例えば、シート状がある。また、すべり止め部材の材料としては、特に限定されないが、例えば、ゴムなどがある。
【００３１】
なお、補助踏み桟１６の形状によっては、補助踏み桟側面係合板２３や補助踏み桟底面係合板２４の一部が、他の部材と干渉する場合がある。補助踏み桟側面係合板２３や補助踏み桟底面係合板２４に、当該他の部材との干渉を逃げるための逃げ空間を形成することが好ましい。例えば、当該他の部材がステッププレート２１の後端部の横方向中央部分に位置する場合、ステッププレート２１の後端部の横方向全体に補助踏み桟側面係合板２３及び補助踏み桟底面係合板２４を設ける代わりに、図５に示すように、ステッププレート２１の後端部の横方向の両端に、補助踏み桟側面係合板２３及び補助踏み桟底面係合板２４をそれぞれ設けてもよい。このとき、ステッププレート２１の後端部の横方向の両端に設けられた補助踏み桟側面係合板２３の間に、逃げ空間３５が形成される。
【００３２】
上記実施形態では、補助踏み桟係合機構が、補助踏み桟側面係合板２３と補助踏み桟底面係合板２４とを有していたが、本考案はこれに限られず、補助踏み桟底面係合板２４を省略してもよい。また、主踏み桟係合機構は、主踏み桟側面係合板２２とともに、主踏み桟１３の底面と係合する主踏み桟底面係合板を有していてもよい。主踏み桟底面係合板は、主踏み桟側面係合板２２の下端から、ステッププレート２１の中央部、すなわち後方へ延びる。梯子１０への装着のしやすさから、主踏み桟底面係合板と補助踏み桟底面係合板２４とのうち、いずれか一方のみが形成されることが好ましい。
【００３３】
なお、補助踏み桟係合機構、すなわち補助踏み桟側面係合板２３及び補助踏み桟底面係合板２４を省略してもよい。この場合において、後方側に位置する貫通孔２１Ｘに挿入可能な締結帯４０を用いて、補助踏み桟１６と梯子１０とを締結してもよい（図６参照）。この場合には、締結帯４０と貫通孔２１Ｘとが係合機構として機能する。なお、ステッププレート２１に形成される貫通孔２１Ｘのうち、締結帯４０が挿入される貫通孔２１Ｘの周縁には、突起２１Ｔを形成しなくてもよい。また、締結帯４０によって足場具２０と係止される部位は、図示するように補助踏み桟１６であってもよいし、補強脚１５等、梯子１０のいずれの部分でもよい。
【００３４】
同様に、主踏み桟係合機構を省略してもよい。この場合において、前方側に位置する貫通孔２１Ｘに挿入可能な締結帯を用いてもよい。この場合には、締結帯と貫通孔２１Ｘとが係合機構として機能する。なお、主踏み桟係合機構及び補助踏み桟係合機構を省略し、前方側に位置する貫通孔２１Ｘに挿入可能な締結帯と、後方側に位置する貫通孔２１Ｘに挿入可能な締結帯４０と、を併用してもよい。
【符号の説明】
【００３５】
１０    梯子
１１    脚
１２    天板
１３    桟
１４    支持脚
１５    補強脚
１６    補強枠
２０    足場具
２１    ステップ板
２１Ａ    ステップ面
２１Ｂ    支持面
２１Ｔ    突起
２１Ｘ    貫通孔
２２    主踏み桟側面係合板
２３    補助踏み桟側面係合板
２４    補助踏み桟底面係合板
３０    空間
４０    締結帯
【図１】
0003175235.tif 000003
【図２】
0003175235.tif 000004
【図３】
0003175235.tif 000005
【図４】
0003175235.tif 000006
【図５】
0003175235.tif 000007
【図６】
0003175235.tif 000008